(57)【要約】      （修正有）【課題】人間の頭部及び頸椎等の複数の部位を保護及び支持させる複数の支持部を有する車用ヘッドレスト枕の構造を提供する。【解決手段】複数の支持部を有する車用ヘッドレスト枕の構造はヘッドレスト枕本体１０及び負荷部２０の組み合わせを備える。本体は中央領域１１と、両側領域１２と、上部領域１３と、下部領域とを含み、負荷部は本体の両側領域に配置される側面負荷部２２及び下部領域に配置される下負荷部２１で構成される。下負荷部及び側面負荷部により可撓性突出構造または弾性突出構造が形成され、人間の頸椎及び頭部に対応させる。また、側面負荷部、下負荷部、及び本体の中央領域が共に被覆支持区画を画定させる。【選択図】図１
0003211436.tif 000002
【実用新案登録請求の範囲】
【請求項１】
本体及び前記本体上に組み合わせられる負荷部であって、前記本体には中央領域、両側領域、上部領域、及び下部領域が定義されることと、
前記負荷部は前記本体の下部領域に配置される下負荷部及び前記本体の両側領域に配置される側面負荷部を有し、Ｕ字形輪郭構造が構成されることと、
前記下負荷部及び前記側面負荷部により形成される可撓性突出構造であって、前記側面負荷部、前記下負荷部、及び前記本体の中央領域が共に被覆支持区画を画定させることを備えることを特徴とする複数の支持部を有する車用ヘッドレスト枕の構造。
【請求項２】
前記本体は前記中央領域から前記両側領域の方向に湾曲するように延伸され、前記両側領域に弧状突出構造が形成され、これにより、前記両側領域と前記中央領域との間に湾曲角度が形成されることを特徴とする、請求項１に記載の複数の支持部を有する車用ヘッドレスト枕の構造。
【請求項３】
前記側面負荷部は平面及び弧状面の何れか１つとして形成される接触面を有し、
前記負荷部の下負荷部は前記両側領域に沿って前記下部領域から前記上部領域の方向にそれぞれ延伸され、前記側面負荷部が形成され、前記両側領域上にそれぞれ配置される前記側面負荷部の接触面により対向し合う構造が形成されることを特徴とする、請求項１または２に記載の複数の支持部を有する車用ヘッドレスト枕の構造。
【請求項４】
前記負荷部の硬度は前記本体の硬度より低く、前記負荷部は可撓性変形を発生させることを特徴とする、請求項１乃至３の何れか１項に記載の複数の支持部を有する車用ヘッドレスト枕の構造。
【請求項５】
前記負荷部にはインフレーターが連結され、前記インフレーターはポンプ及び前記ポンプに連結される通気管を有し、前記通気管は前記負荷部に連結されることを特徴とする、請求項１乃至４の何れか１項に記載の複数の支持部を有する車用ヘッドレスト枕の構造。
【請求項６】
中央領域、両側領域、上部領域、及び下部領域が定義される本体と、
前記本体には載置体が設置され、前記載置体は前記本体に一体で固定されるか、または前記本体に着脱可能に組み合わせられ、前記載置体は可撓性材料で薄型扁平構造として製造され、前記載置体が往復してフリップ動作を行うことと、
前記載置体に設置される負荷部であって、前記負荷部は前記載置体下部に配置される下負荷部及び前記載置体の両辺に配置される側面負荷部を有し、Ｕ字形輪郭構造が構成されることと、
前記下負荷部及び前記側面負荷部により形成される可撓性突出構造であって、前記側面負荷部、前記下負荷部、及び前記本体の中央領域が共に被覆支持区画を画定させることを備えることを特徴とする複数の支持部を有する車用ヘッドレスト枕の構造。
【請求項７】
前記本体は前記中央領域から前記両側領域の方向に湾曲するように延伸され、前記両側領域に弧状突出構造が形成され、これにより、前記両側領域と前記中央領域との間に湾曲角度が形成されることを特徴とする、請求項６に記載の複数の支持部を有する車用ヘッドレスト枕の構造。
【請求項８】
前記側面負荷部は平面及び弧状面の内の何れか１つとして形成される接触面を有し、前記載置体上部には固定端を有し、前記載置体下部には自由端を有し、前記載置体の固定端には留め具が設置され、前記本体に着脱可能に組み合わせられることを特徴とする、請求項６または７に記載の複数の支持部を有する車用ヘッドレスト枕の構造。
【請求項９】
前記負荷部の硬度は前記本体の硬度より低く、前記負荷部が可撓性変形を発生させることを特徴とする、請求項６乃至８の何れか１項に記載の複数の支持部を有する車用ヘッドレスト枕の構造。
【請求項１０】
前記載置体の背面には袋及び袋に形成される開口部が配置されることを特徴とする、請求項６乃至９の何れか１項に記載の複数の支持部を有する車用ヘッドレスト枕の構造。
【請求項１１】
前記負荷部にはインフレーターが連結され、前記インフレーターはポンプ及び前記ポンプに連結される通気管を有し、通気管には前記負荷部が連結されることを特徴とする、請求項６乃至１０の何れか１項に記載の複数の支持部を有する車用ヘッドレスト枕の構造。
【考案の詳細な説明】
【技術分野】
【０００１】
本考案は、複数の支持部を有する車用ヘッドレスト枕の構造に関し、より詳しくは、車両のシートのヘッドレスト本体に可撓性突出構造の負荷部が組み合わせられることにより、人々の様々な使用上の需要に応じて使用でき、人間工学に符合する考案に関する。
【背景技術】
【０００２】
車両のシートにはヘッドレストが設置され、搭乗者やドライバーの頭部を支持させ、頸部や脊椎の負担を軽減させ、疲労を減らす従来の技術である。このようなシートのヘッドレストの構造には通常皮革、布生地、プラスチック薄層等が応用され、充填物が被覆される形態となっている。また、ヘッドレストとシートとの間には連結ロッド及び枢軸部材が設置され、ヘッドレストが回転して前後への傾斜角度が調整され、搭乗者やドライバーの頭部を支持させる作用を達成させる。
【０００３】
しかしながら、このような車両のシートのヘッドレストは構造及び応用について課題が存在する。すなわち、従来のヘッドレストの構造は製造コストを考慮しており、且つ（ドライバー）搭乗者の頭部の輪郭や実際の操作に応じて製造するのではないため、ヘッドレストの輪郭や規格は固定された形態であり、基本的な支持作用のみが提供される。このため、確実な保護及び完全な支持効果を達成させることはできない。
【０００４】
また、例えば、本技術に習熟する者ならば、従来のヘッドレスト構造は基本的な支持作用しか達成できず、実務上、通常はヘッドレストの被覆材質には硬い充填材料が用いられ、人が長時間または長期間使用した後のヘッドレストの変形を回避させていることを知っている。
【０００５】
特に、上述の課題及び使用状況は、従来のヘッドレスト構造では（ドライバー）搭乗者の頸椎が浮いた状態になり、支持が不足しているほか、搭乗者が長時間使用して運転する場合に、頸椎を痛めやすく、運転の安全性等にも影響を及ぼした。また、人間工学に符合させる作用も低下している。
【０００６】
上述の状況を改善させるため、従来の技術にはシートに組み合わせられるヘッドレスト構造が提示されている。例えば、特許文献１に記載されている「ヘッドレストの構造の改良」では、典型的な実施形態が提供されている。前記実施形態はヘッドレスト本体の両辺に口で空気を吹き入れる側面パッドが設けられ、ヘッドレスト本体の後部には弾性ベルトが設置され、シートに設置され、使用者の頭部を被覆させると共に支持させる。
【０００７】
もっとも、本技術に習熟する者ならば、上述の実施形態は実際の使用において、ヘッドレスト本体が使用者の頸椎を浮いた状態にしてしまい、使用者が長時間運転する場合には不適格であることが分かる。また、上述の実施形態はシートの背もたれが高い構造モジュールにのみ適用可能である。例えば、大型車の乗客シート等であり、前記ヘッドレスト本体がシートの背もたれの高さ位置に位置され、使用者が座る際に頭部の高さに符合させ、支持作用を獲得させる。
【０００８】
上述の実施形態の構造形態は一般的な乗用車のシートには応用できず、特にドライバーのシートには不適格である。これは、前記ヘッドレスト本体の弾性ベルトが乗用車のシートに設置される場合、前記ヘッドレスト本体の高さが搭乗者やドライバーが座る際の頭部の高さに合わず（すなわち、低すぎる）、（ドライバー）搭乗者に適用できない。前記ヘッドレスト本体の弾性ベルトが乗用車のシートのヘッドレストに設置される場合、ヘッドレスト本体及び乗用車のシートのヘッドレストが重畳する厚さにより、搭乗者の頭部が過度に前傾し、頸椎が浮きすぎるため、（ドライバー）搭乗者に適用できず、実際に使用する場合の（またはドライバー）姿勢及び人間工学の条件に適合しない。
【０００９】
なお、従来の技術には使用者が睡眠に使用できる複数の空気充填式ヘッドレスト構造が掲示されている。従来の特許文献では、例えば、特許文献２に記載されている「ヘッドレスト空気充填構造」、特許文献３に記載されている「超セ可能な気液複合ヘッドレスト」、特許文献４に記載されている「空気充填調整型ヘッドレスト」特許案等が存在し、典型的な実施形態を提供している。これらは空気充填構造を提供し、ヘッドレスト内部の流体量が調整可能であり、ヘッドレストが異なる高さを有し、様々な使用者の実際の使用上の需要に符合させている。
【００１０】
ちなみに、使用者が睡眠に使用するこのようなヘッドレスト構造（以下、睡眠用ヘッドレストと略称する）は乗用車のシートには応用できない。その理由は以下の通りである。
（１）睡眠用ヘッドレストが使用者の頭部に接触する部分は平面の構造形態とする必要があり、使用者の睡眠姿勢が変化した際に、使用者の頭部に合わせて変化させるか、または支持作用する位置を変えることで、ヘッドレストから頭部が落ちる状況を減らす必要がある。このため、睡眠用ヘッドレストの両側領域及び／または下部領域は突出構造を形成させるのに適さない。
（２）従来の睡眠用ヘッドレストには使用者の頸椎を確実に支持させる構造形態が存在しない。このため、使用者が睡眠時に頭部を過度に後に傾けると、いびきが出る。このような状況は誰も望まない。
【００１１】
すなわち、これらの参考資料は従来のヘッドレストまたは車両のシートのヘッドレストの構造及び応用の設計技術に関する。これらの参考資料はこれらのヘッドレストが実際の使用において、幾つかの問題が存在することを示す。前記ヘッドレストに組み合わせられる構造を考慮して再設計し、設計上人間工学に符合させる条件の下、従来の車両のシートのヘッドレストとは異なる構造で、理想的な保護及び支持能力を提供し、従来の技術的欠点を改善させる。
【００１２】
本考案者は車用シートのヘッドレスト構造に関して、以下の課題を考慮する必要があることを見出した。
（１）従来の睡眠用ヘッドレストは全て（接触）平面の構造形態を提供するのを取り消すか、反対にする必要がある。特に、ヘッドレストの両側領域及び／または下部領域に突出構造が形成され、且つ前記突出構造は可撓性変形または弾性により大きさ（或いは規格）を調整でき、支持作用を有する。
（２）従来の構造（車用シートのヘッドレスト及び睡眠用ヘッドレストを含む）では使用者の頸椎を確実に支持させる構造形態がなく、使用者またはドライバーの頸椎が浮いた状態となり、支持が不足し、（ドライバー）搭乗者の頸椎が痛んで、運転の安全等に影響を及ぼす状況を改善させる必要がある。
（３）特に車用ヘッドレスト枕の構造を提供し、従来の車用シートのヘッドレスト枕の構造は使用者の頭部の輪郭の違いまたは実際の操作の需要に応じて製造されるのではなく、ヘッドレストの輪郭または規格が固定形態であり、基本的な支持作用しか提供できず、確実な保護及び完全な支持効果等を達成できないという問題を改善させる。これらの課題は上述の参考資料において全て教示または具体的に記載されていない。
【先行技術文献】
【特許文献】
【００１３】
【特許文献１】台湾実用新案第８１２０４８８２号明細書
【特許文献２】台湾実用新案第８８２１１９４４号明細書
【特許文献３】台湾実用新案第９４１１１１６８号明細書
【特許文献４】台湾実用新案第１０３２２１５３８号明細書
【考案の概要】
【考案が解決しようとする課題】
【００１４】
本考案の目的は、複数の支持部を有する車用ヘッドレスト枕の構造を提供することにある。
【課題を解決するための手段】
【００１５】
上記目的を達成するため、本考案に係る複数の支持部を有する車用ヘッドレスト枕の構造の特徴は、ヘッドレスト本体及び負荷部の組み合わせを備える。本体は中央領域と、両側領域と、上部領域と、下部領域とを含む。負荷部は本体の両側領域に配置される側面負荷部及び下部領域に配置される下負荷部からなり、Ｕ字形輪郭または構造が構成される。下負荷部及び側面負荷部には可撓性突出体または弾性突出構造が形成され、使用者の頸椎及び頭部に対応させる。また、前記側面負荷部、下負荷部、及び本体の中央領域が共に被覆支持区画を画定させる。人間工学に符合させる条件の下、前記負荷部が使用者の実際の使用上の需要に応じて、使用者の頭部及び頸椎等を保護及び支持させる複数の部位の支持メカニズムを提供する。
【００１６】
特に、下負荷部が（ドライバー）搭乗者の頸椎に対応させて支持させる。下負荷部は搭乗者の頸椎と本体との間の隙間（または隙間領域範囲）を補償し、搭乗者（頸椎及び／または頭部）を確実に保護させ、完全に支持させる作用等の効果を提供する。前述の補償とは負荷部または下負荷部が前記隙間領域範囲を埋めることを意味する。
【考案の効果】
【００１７】
本考案の複数の支持部を有する車用ヘッドレスト枕の構造によれば、前記本体は載置体を備える。載置体は固定端及び自由端を有し、固定端は本体に着脱可能に組み合わせられるか、または本体に一体で固定され、載置体（或いは自由端）は往復してフリップ動作を行うことができ、前記負荷部が載置体に設置される。または、載置体には袋が配置され、物或いは可撓性物質が収納される。載置体が（ヘッドレスト）使用者とは反対の他辺へ向けて移動するように操作され、後方に向けて露出されると、搭乗者は袋に一般的な物を収納できるようになる。例えば、メガネ、財布、水筒、書類等が収納でき、多機能な車用ヘッドレスト枕構造のメカニズムが確立される。
【図面の簡単な説明】
【００１８】
【図１】本考案の本体と負荷部の構成の組み合わせを示す外観斜視図である。
【図２】図１に示す実施形態の応用の構造外観斜視図であり、負荷部により支持搭乗者の頭部の両辺及び頸椎を補助的に保護する概略図を図示する。
【図３】図２に示す構造断面図であり、下負荷部が隙間領域範囲を補償し、搭乗者の頭部及び頸椎を補助的に保護する概略図を図示する。
【図４】本考案の実施形態の修正の構造外観斜視図であり、負荷部が載置体に設置され、載置体が本体に着脱可能に組み合わせられるか、または本体に一体で固定される概略図を図示する。
【図５】本考案の実施形態の操作の構造外観斜視図であり、載置体が後方に向けて移動されて露出された後、物が収納される概略図を図示する。
【図６】本考案の実行可能な実施形態の構造外観斜視図であり、負荷部がインフレーターに連結される構造の組み合わせの概略図を図示する。
【考案を実施するための形態】
【００１９】
まず、図１〜３を参照しながら、本考案の実施形態をさらに詳しく説明する。本考案の複数の支持部を有する車用ヘッドレスト枕の構造は、ヘッドレスト本体及び負荷部の組み合わせを備え、それぞれ１０、２０として図示する。以下の説明において述べる上部、下部、両辺、底端等の表現は、図面中で表示する方向を参照方向とする。本体１０には図面中の位置に基づいて、中央領域１１、両側領域１２、上部領域１３、及び下部領域１４が定義される。
【００２０】
採用される実施形態において、本体１０は中央領域１１から両側領域１２の方向に湾曲するように延伸され、両側領域１２（中央領域１１に対する）に弧状突出構造が形成される形態となる。これにより、両側領域１２と中央領域１１との間に湾曲角度が形成され、両側領域１２により搭乗者の頭部２０の両側が包囲されて保護または支持される。
【００２１】
次は、負荷部２０は本体の両側領域１２に配置される側面負荷部２２及び下部領域１４に配置される下負荷部２１を備え、Ｕ字形輪郭または構造が構成される。下負荷部２１及び側面負荷部２２により可撓性突出体或いは弾性突出構造が形成され、搭乗者の頸椎５５及び頭部５０の両辺に対応させる。側面負荷部２２は平面または弧状面構造として形成される接触面２３を有し、搭乗者の頭部５０の両辺に接触させて支持させる。また、下負荷部２１及び側面負荷部２２に本体の中央領域１１が組み合わせられて、共に被覆支持区画或いは（負荷）空間を構成させる。人間工学に符合させる条件の下、前記負荷部２０が搭乗者の実際の使用に応じて、搭乗者の頭部５０及び頸椎５５等を保護及び支持させる複数の部位の支持メカニズムを提供する。
【００２２】
更に詳しくは、搭乗者の頭部５０及び頸椎５５に対応させ、負荷部２０の下負荷部２１は本体１０の両側領域１２に沿って下部領域１４から上部領域１３の方向に延伸され、側面負荷部２２及び側面負荷部２２（搭乗者の頭部５０の方向に向けて）に設けられる接触面２３が形成され、両側領域１２にそれぞれ設置される前記側面負荷部２２の接触面２３が対向し合う（または対向する方向の）構造形態が形成される。
【００２３】
このように、負荷部２０またはその内部に充填される物として可撓性物質或いは弾性物質が選択され、例えば流体、動物の毛、繊維、綿花、スポンジ、スラリー（シリコン）等の材料が選択され、負荷部２０の硬度が本体１０の硬度より低くなる。負荷部２０は（ドライバー）搭乗者の頭部の輪郭の違い及び／または実際の使用上の需要に応じて、異なる程度及び範囲の（弾性）変形が形成され、搭乗者の頭部５０や頸椎５５等の部位の快適な被覆感及び確実な保護と支持作用を達成させ、従来の硬いヘッドレスト構造では、支持作用のみを有するという状況を改善させる。
【００２４】
例えば、図２、図３には負荷部２０（または下負荷部２１）が搭乗者の頸椎５５と本体１０との間の隙間の程度（または隙間領域範囲）に基づいて弾性変形を発生させ、前記隙間を補償し、搭乗者（頸椎５５及び／または頭部５０）が確実に保護され、完全に支持される作用等の効果を提供することを特に図示する。
【００２５】
前述の補償とは負荷部２０（または下負荷部２１）が前記隙間領域範囲に充填される状況を指す。これにより、従来の構造では、（ドライバー）搭乗者の頸椎が浮いた状態になり、支持が不足し、使用者が長時間運転すると頸椎を痛めてしまい、運転の安全性に影響を及ぼし、人間工学に符合しない等の状況が、確実に改善される。
【００２６】
図４、図５には修正された実施形態を図示する。前記本体１０（または上部領域１３）は載置体３０に一体で設置されるか着脱可能に組み合わせられる。載置体３０は可撓性材料で薄型扁平構造として製造される。載置体３０の上部には固定端３５を有し、載置体３０の下部には自由端３６を有する。載置体３０（及び／または自由端３６）は往復してフリップ動作を行うことができる。
【００２７】
実行可能な実施形態において、載置体３０の固定端３５には被覆カバー（図示せず）、被覆本体１０が設置され、または接着材や留め具９０が応用され、或いは類似物が設置され、本体１０に着脱可能に組み合わせられ、または固定端３５が本体１０（或いは上部領域１３）に固定されるように一体成形される。
【００２８】
採用される実施形態において、載置体３０の背面３７には袋４０及び袋４０に形成される開口部４１が配置され、物４５や可撓性物質６０の収納に用いられる。
【００２９】
更に詳しくは、載置体３０が（ヘッドレストまたは本体１０）使用者に向けるように操作されると、袋４０は（ドライバー）搭乗者の頭部の輪郭の違い或いは実際の操作の需要に応じて、可撓性物質が任意で収納または充填され、袋４０が異なる高さ或いは厚さに形成され、搭乗者の頭部５０が支持される。従来の車用シートのヘッドレスト構造または規格は固定形態で形成されるため、基本的な支持作用しか提供せず、確実な保護及び完全な支持効果等を達成できないという状況を改善させる。
【００３０】
載置体３０が（ヘッドレストまたは本体１０）使用者とは反対の他辺に向けて移動するように操作され、後方に向けて露出された後、図５に示す状況のようになる。袋４０は搭乗者が一般的な物４５を収納するために使用される。例えば、メガネ、財布、水筒、書類等が収納可能であり、多機能な車用ヘッドレスト枕の構造のメカニズムが確立される。
【００３１】
図６に示す実行可能な実施形態において、負荷部２０にはインフレーター８０が連結される。インフレーター８０はポンプ８１及びポンプ８１に連結される通気管８２を有する。通気管８２は負荷部２０または下負荷部２１に連結される。ポンプ８１が流体を負荷部２０に進入させるように制御するように操作されると、弾性により負荷部２０の大きさ或いは規格が調整され、（ドライバー）搭乗者の頭部の輪郭の違い及び／または実際の使用上の需要に応じて、負荷部２０が人間工学に符合させる条件の下、搭乗者の頭部５０及び頸椎５５等の部位の保護及び支持作用を提供する。
【００３２】
上述したように、複数の支持部を有する車用ヘッドレスト枕の構造は従来のものと比較し、以下の長所を有し、考慮されている。
前記本体１０に負荷部２０または結合載置体３０が組み合わせられる構造形態が、再設計される。例えば、本体１０は両側領域１２に突出構造が形成され、両側領域１２は上部領域１３から下部領域１４の方向へそれぞれ延伸され、側面負荷部２２及び側面負荷部２２に連結される下負荷部２１が形成される。往復してフリップ動作を行うことが可能な載置体３０及び負荷部２０が設置され、載置体３０の背面３７に袋４０が設置され、物４５の収納等に関しては、従来の技術による構造形態とは明らかに異なる。
【００３３】
前記本体１０、負荷部２０（及び／または載置体３０）の組み合わせ構造は、従来の睡眠用ヘッドレストが全て（接触）平面の構造形態を提供するのを取り消すか、反対に、本体の下部領域１４及び／または両側領域１２に下負荷部２１及び側面負荷部２２が形成され、共に弾性突出構造を構成させる。また、前記突出構造はドライバーの頭部の輪郭の違い或いは実際の操作の需要に応じて、ドライバーの頭部５０及び頸椎５５を補助的に保護及び支持させるか、弾性により大きさや規格を調整可能にする作用を提供する。
【００３４】
特に、本体１０に結合される負荷部２０は可撓性変形作用を有する構造形態であり（または載置体１０に袋４０が設置され）、搭乗者が使用する際の快適性が向上し、且つ従来の車用シートのヘッドレスト構造は搭乗者の頭部の輪郭の違い或いは実際の使用上の需要に応じて製造されるわけではなく、ヘッドレストの輪郭または規格が固定形態であり、基本的な支持作用しか提供できず、確実な保護及び完全な支持効果を達成できない等の問題を改善させる。また、前記袋４０は（ドライバー）搭乗者の頭部の輪郭の違いまたは実際の操作に応じて、可撓性物質が収納されるか充填され、袋４０及び／または載置体３０が異なる高さ或いは厚さに形成され、搭乗者の頭部５０を支持させる。または、載置体３０が使用者とは反対の他辺に向けるように操作されると、袋４０には搭乗者が一般的な物４５を収納できるようになり、多機能な車用ヘッドレスト枕構造のメカニズムが確立される。
【００３５】
総合すると、本考案に係る複数の支持部を有する車用ヘッドレスト枕の構造は、空間形態が従来のものとは異なり、且つ従来のものとは比較にならない長所を有し、極めて大きな進歩を示し、実用新案の要件に十分符合する。
【００３６】
以上、本考案の実施形態について図面を参照して詳述したが、具体的な構成はこの実施形態に限られるものではなく、本考案の要旨を逸脱しない範囲の設計変更等も含まれる。
【符号の説明】
【００３７】
１０  本体
１１  中央領域
１２  両側領域
１３  上部領域
１４  下部領域
２０  負荷部
２１  下負荷部
２２  側面負荷部
２３  接触面
３０  載置体
３５  固定端
３６  自由端
３７  背面
４０  袋
４１  開口部
４５  物
５０  頭部
５５  頸椎
８０  インフレーター
８１  ポンプ
８２  通気管
９０  留め具
【図１】
0003211436.tif 000003
【図２】
0003211436.tif 000004
【図３】
0003211436.tif 000005
【図４】
0003211436.tif 000006
【図５】
0003211436.tif 000007
【図６】
0003211436.tif 000008